(57)【要約】【課題】分割点灯しない一括点灯のバックライトを使用して、擬似インパルス表示の効果を上げることができる携帯端末を提供する。【解決手段】画像を表示する液晶モジュールと、連続点灯のバックライトと、この液晶モジュールとバックライトの間に重ねて配置される液晶シャッタとを備える。そして、液晶モジュールの表示画面および液晶シャッタの面を同じ複数の帯領域に分ける。そして、フレーム１のフィールド１ａのタイミングでは、入力されたフレーム画像Ｆ１の内、帯領域Ａの部分を黒画像に変え、他の帯領域ＢＣＤは、フレーム画像Ｆ１を残す。次のフレーム１のフィールド１ｂのタイミングでは、入力された同じフレーム画像Ｆ１に対して、シフトされた帯領域Ｂの部分を黒画像に変える。この黒画像のシフト位置に合わせて、液晶シャッタの帯領域を遮光する。【選択図】図３
2008170610.tif 000002
【特許請求の範囲】
【請求項１】
液晶モジュールと、
前記液晶モジュール用のバックライトと、
前記液晶モジュールとバックライトの間に重ねて配置される液晶シャッタと、
前記液晶モジュールの表示画面を複数の帯状領域に分け、入力されたフレーム画像の内の前記１つの帯状領域に相当する部分を黒帯画像とし、他の領域は入力されたフレーム画像を残し、前記黒帯画像を書き込む帯状領域を所定のシフト周期で順次他の帯状領域にシフトした黒帯挿入画像を作成して、当該黒帯挿入画像を前記液晶モジュールに表示させる黒帯挿入画像作成手段と、
前記液晶シャッタの領域を前記液晶モジュールの複数の帯状領域と同じに分け、前記シフトする黒帯画像の位置と同じ位置の液晶シャッタの領域を遮光するシャッタ信号を作成して、前記液晶シャッタを遮光制御するシャッタ信号作成手段とを
具備することを特徴とする携帯端末。
【請求項２】
前記シフト周期は、前記フレーム画像のフレーム周期の２分の１以下の整数分の１であることを特徴とする請求項１に記載の携帯端末。
【発明の詳細な説明】
【技術分野】
【０００１】
本発明は、液晶の動画表示などにおける残像感やコントラストを向上するための擬似インパルス表示を行う携帯端末に関する。
【背景技術】
【０００２】
図４は、従来の擬似インパルス表示の一部を説明する図である。  
図４（Ａ）：
動画表示の際に生じる動きぼけを防止する液晶表示装置がある（例えば、特許文献１参照。）。この特許文献１（［図２］、段落［００３６〜］）では、全面フラッシュ型バックライト点灯の記載がある。ここでは、黒画像の書き込みは行っていない。図４（Ａ）は、これを説明する図である。各フレームの１６．７ｍＳ（フレーム周波数６０Ｈｚ）の期間内を時間分割し、通常画像の書き込みおよび液晶応答期間、すなわち画像表示が不定な期間はバックライトを全面消灯し、画像表示が安定状態になった期間はバックライトを全面点灯している。すなわち、各フレーム期間内を時間分割でバックライトの全面点灯／全面消灯を行っている。
【０００３】
図４（Ｂ）：
ＯＣＢ（Optically Compensated Bend）液晶を備えたカラー立体表示装置がある（例えば、特許文献２参照。）。この特許文献２（［図４］、段落［００８３〜］）では、各フレームの１６．７ｍＳの期間内を、時間分割で画面全面を一斉に黒画像書き込み表示している。図４（Ｂ）は、これを説明する図である。各フレームの１６．７ｍＳの期間内を、立体用の左目用画像と右目用画像に時間分割し、さらに各画像をカラー表示のＲＧＢ画像に時間分割している。また、Ｒ用バックライト、Ｇ用バックライト、Ｂ用バックライトを備える。ここでは、ＲＧＢの各画像の周期を１フィールドと称する。カラー画像ＲＧＢの各フィールドには、時間分割で黒を一括して画面全面に書き込み表示し、ＲＧＢの各フィールド間での混色を防止している。また、液晶のＲＧＢの各フィールドの表示に合わせて、ＲＧＢの各バックライトを全面点灯し、液晶の黒書き込み表示に合わせてバックライトを全面消灯している。
【０００４】
また、家庭用フラットテレビの大型液晶パネルに適用されて、動画表示のぼやけ感を改善した高画質ＯＣＢ液晶技術がある（例えば、非特許文献１参照。）。この非特許文献１（４．２項、図９）には、擬似インパルス表示に関して、（ａ）ブリンキングバックライト方式と、（ｂ）従来バックライト方式の記載がある。（ａ）ブリンキングバックライト方式では、画面全面を一斉に黒画像書き込みせずに、帯状の黒画像部分を作成して、帯状の黒画像部分が画面の上から下へと走査するように書き込まれる。
【０００５】
この状態で、帯状の黒画像表示に同期して、黒画像表示の下面に位置するバックライトを消灯し、それ以外の通常画像表示の下面に位置するバックライトを点灯している。すなわち、分割された複数本のバックライトを備えて、画面の点灯領域を切り替えている。
【特許文献１】特開２００４−１６３８２９号公報（第７頁、図２）
【特許文献２】特開２００３−２５９３９５号公報（第８頁、図４）
【非特許文献１】［平成18年11月30日検索］、インターネット〈URL：http://www.toshiba.co.jp/tech/review/2005/07/60_07pdf/a0210.pdf〉、東芝レビューVol.60 No.7 (2005)
【発明の開示】
【発明が解決しようとする課題】
【０００６】
携帯電話機のような小型の装置では、複数のバックライトを備えることは、構造上やコストの観点から難しい。本発明は、分割点灯しない一括点灯のバックライトを使用して、擬似インパルス表示の効果を上げることができる携帯端末を提供することを目的とする。
【課題を解決するための手段】
【０００７】
上記目的を達成するために、本発明の携帯端末は、液晶モジュールと、前記液晶モジュール用のバックライトと、前記液晶モジュールとバックライトの間に重ねて配置される液晶シャッタと、前記液晶モジュールの表示画面を複数の帯状領域に分け、入力されたフレーム画像の内の前記１つの帯状領域に相当する部分を黒帯画像とし、他の領域は入力されたフレーム画像を残し、前記黒帯画像を書き込む帯状領域を所定のシフト周期で順次他の帯状領域にシフトした黒帯挿入画像を作成して、当該黒帯挿入画像を前記液晶モジュールに表示させる黒帯挿入画像作成手段と、前記液晶シャッタの領域を前記液晶モジュールの複数の帯状領域と同じに分け、前記シフトする黒帯画像の位置と同じ位置の液晶シャッタの領域を遮光するシャッタ信号を作成して、前記液晶シャッタを遮光制御するシャッタ信号作成手段とを具備することを特徴とする。
【発明の効果】
【０００８】
本発明によれば、分割点灯しない一括点灯のバックライトを使用して、擬似インパルス表示の効果を上げることができる。
【発明を実施するための最良の形態】
【０００９】
図１は、本発明の実施例に係る携帯端末の液晶部の配置を説明する図である。携帯端末１００の液晶部は、ＯＣＢ液晶モジュール１、液晶シャッタ２、バックライト３などにより構成される。バックライト３の上に液晶シャッタ２が重ねられ、さらにその上にＯＣＢ液晶モジュール１が重ねて配置される。バックライト３が発した光は、液晶シャッタ２を透過し、ＯＣＢ液晶モジュール１の画像表示状態を透過して、ユーザに到達し、画像として認識される。なお、液晶シャッタ２の配置は、液晶モジュール１と入れ替わってもよい。
【００１０】
図２は、本発明の実施例に係る携帯端末の関連部分のブロック図である。携帯端末１００は、ＯＣＢ液晶モジュール１、液晶シャッタ２、バックライト３、黒帯挿入画像作成部４、シャッタ信号作成部５などにより構成される。入力画像信号４ａは、フレーム同期信号４ｂの周期１６．７ｍＳ（６０Ｈｚ）に同期して画像が次々と切り替わり、動画像を構成するものである。黒帯シフト同期信号５ａは、フレーム同期信号４ｂ周期の１６．７ｍＳの２分の１の８．３ｍＳ周期、または４分の１の４．２ｍＳ周期の信号である。
【００１１】
黒帯挿入画像作成部４は、入力画像信号４ａの一部分に黒帯状の黒画像を挿入すると共に、黒帯シフト同期信号５ａに同期して黒帯状の黒画像部分を順次シフトしたフレーム画像４ｃを作成する。ＯＣＢ液晶モジュール１は、このフレーム画像４ｃを表示する。
【００１２】
シャッタ信号作成部５は、黒帯シフト同期信号５ａに同期して、すなわち、黒帯状の黒画像部分の配置に同期して、液晶シャッタ２で帯状に遮光するための遮光／透過信号５ｂを作成する。液晶シャッタ２は、この遮光／透過信号５ｂにより帯状の遮光／透過を行う。
【００１３】
次に、画像とシャッタの状態について説明する。  
図３は、本発明の実施例に係る携帯端末の画像とシャッタの状態を説明する図である。  図３（Ａ）は、黒帯シフト同期信号５ａが、フレーム同期信号４ｂ周期の１６．７ｍＳの２分の１の８．３ｍＳ周期の場合である。ＯＣＢ液晶モジュール１およびのその下面に配置される液晶シャッタ２は、それぞれ、同じ個数の例えば４個の帯領域Ａ、Ｂ、Ｃ、Ｄに分けられる。
【００１４】
黒帯挿入画像作成部４は、黒帯シフト同期信号５ａ（図３（Ａ）では８．３ｍＳ）に同期して、黒画像を書き込んだ各フレーム用の画像を作成し、黒画像位置をシフトしていく。フレーム１のフィールド１ａでは、画像Ｆ１に対して、帯領域Ａに黒画像が書き込まれる。次のタイミングのフレーム１のフィールド１ｂでは、同じフレーム１の画像Ｆ１に対して、シフトした帯領域Ｂに黒画像が書き込まれる。
【００１５】
次のタイミングのフレーム２のフィールド２ａでは、フレーム２の画像Ｆ２に対して、シフトした帯領域Ｃに黒画像が書き込まれる。次のタイミングのフレーム２のフィールド２ｂでは、同じフレーム２の画像Ｆ２に対して、シフトした帯領域Ｄに黒画像が書き込まれる。これらが、ＯＣＢ液晶モジュール１に表示される。
【００１６】
シャッタ信号作成部５は、黒帯シフト同期信号５ａ（８．３ｍＳ）に同期して、液晶シャッタ２の遮光と透過領域を制御し、ＯＣＢ液晶モジュール１に表示される表示画像の黒画像部分の帯領域に合わせた遮光が行われる。液晶シャッタ２は、原理的には、液晶モジュールと同じであり、遮光領域には黒画像を書込み、透過領域には白画像を書き込むことで、遮光／透過の制御を行うことができる。
【００１７】
このように、表示画像の黒画像部分と液晶シャッタ２の遮光部分が重なることにより、黒画像部分の漏れによる透過光を完全にシャットすることができ、動画像の尾引きを改善することができる。
【００１８】
図３（Ｂ）は、黒帯シフト同期信号５ａが、フレーム同期信号４ｂの周期の４分の１の４．２ｍＳの場合である。時間軸は、図３（Ａ）に対して、横に広げて記載している。図３（Ａ）との相違点は、黒画像および遮光のシフトが、図３（Ａ）に比べて、２倍になることである。
【００１９】
黒帯挿入画像作成部４は、黒帯シフト同期信号５ａ（４．２ｍＳ）に同期して、黒画像を書き込んだ各フレーム用の画像を作成し、黒画像位置をシフトしていく。フレーム１の最初のフィールド１ａでは、画像Ｆ１に対して、帯領域Ａに黒画像が書き込まれる。次のフィールド１ｂでは、同じ画像Ｆ１に対して、シフトした帯領域Ｂに黒画像が書き込まれる。次のフィールド１ｃでは、同じ画像Ｆ１に対して、シフトした帯領域Ｃに黒画像が書き込まれる。次のフィールド１ｄでは、同じ画像Ｆ１に対して、シフトした帯領域Ｄに黒画像が書き込まれる。図示しないフレーム２以降も画像Ｆ２に対して同様の処理である。
【００２０】
シャッタ信号作成部５は、黒帯シフト同期信号５ａ（４．２ｍＳ）に同期して、液晶シャッタ２の遮光と透過領域を制御し、ＯＣＢ液晶モジュール１に表示される表示画像の黒画像部分の帯領域に合わせた遮光が行われる。
【００２１】
このように、図３（Ａ）と同様に、表示画像の黒画像部分と液晶シャッタ２の遮光部分が重なることにより、黒画像部分の漏れによる透過光を完全にシャットすることができ、動画像の尾引きを改善することができる。また、図３（Ａ）に比べて、黒画像シフトの周波数を上げることで黒画像シフトによるちらつきを改善することができる。
【００２２】
なお、図３（Ａ）、図３（Ｂ）では、１フレーム内の全フィールドにおいて黒帯状の黒画像挿入と遮光を行ったが、１フレーム内の全フィールドの内、少なくとも１つのフィールドに黒帯状の黒画像挿入と遮光を行うようにしてもよい。
【００２３】
本発明の実施例によれば、分割点灯しない一括点灯のバックライトを使用して、擬似インパルス表示の効果を上げることができ、携帯端末のような小型の装置においても効果を出すことができる。
【図面の簡単な説明】
【００２４】
【図１】本発明の実施例に係る携帯端末の液晶部の配置を説明する図。
【図２】本発明の実施例に係る携帯端末の関連部分のブロック図。
【図３】本発明の実施例に係る携帯端末の画像とシャッタの状態を説明する図。
【図４】従来の擬似インパルス表示の一部を説明する図。
【符号の説明】
【００２５】
１  ＯＣＢ液晶モジュール
２  液晶シャッタ
３  バックライト
４  黒帯挿入画像作成部
５  シャッタ信号作成部
１００  携帯端末
【図１】
2008170610.tif 000003
【図２】
2008170610.tif 000004
【図３】
2008170610.tif 000005
【図４】
2008170610.tif 000006